(57)【要約】【課題】  ばね特性を有効に発揮させて使用者に安心感を与えるようにして使用価値を高め、また、耳飾りをイヤリング仕様とピアス仕様に容易に交換可能とすること。【解決手段】  一方の環状基材の軸着側先端に、両側に軸着ピン６を有する突部５を突設形成し、他方の環状基材の軸着側先端に予め拡げて形成した二股挟持部９を設け、この二股挟持部の内周に形成した軸着溝１１に軸着ピン６を挿入しながら二股挟持部９を内方へかしめて軸着溝１１に軸着ピン６を軸着可能に設け、二股挟持部９を有する環状基材の内周側に押圧係合部を介して装着した板ばね１７の先端を一対の環状基材を軸着部位を介して開いた状態のとき、突部の先端面７に弾発付勢させて係合させ、かつ、板ばねの後端側を環状基材の内周側に形成した係止機構１２に係止させ、一対の環状基材を軸着部位を介して閉じた状態のとき、板ばね１７の先端を突部の内周側の押圧部に弾発付勢させた耳飾りである。【選択図】      図１
2009247680.tif 000002
【特許請求の範囲】
【請求項１】
一対の環状基材の端部同士を開閉自在に軸着した耳飾りにおいて、一方の環状基材の軸着側先端に、両側に軸着ピンを有する突部を突設形成し、他方の環状基材の軸着側先端に予め拡げて形成した二股挟持部を設け、この二股挟持部の内周に形成した軸着溝に前記軸着ピンを挿入しながら前記二股挟持部を内方へかしめて前記軸着溝に前記軸着ピンを軸着可能に設けると共に、前記二股挟持部を有する環状基材の内周側に押圧係合部を介して装着した板ばねの先端を一対の環状基材を軸着部位を介して開いた状態のとき、前記突部の先端面に弾発付勢させて係合させ、かつ、前記板ばねの後端側を前記環状基材の内周側に形成した係止機構に係止させ、更に、一対の環状基材を軸着部位を介して閉じた状態のとき、前記板ばねの先端を前記突部の内周側の押圧部に弾発付勢させてたことを特徴とする耳飾り。
【請求項２】
前記係止機構は、前記環状基材の内周側に、前記板ばねが奥側に移動するのを防止するための係止壁と、板ばねが軸着部側に移動するのを防止するための台座壁とからなる請求項１に記載の耳飾り。
【請求項３】
前記板ばねの後端を前記係止壁に係合させると共に、板ばねの後端に形成した曲折部を前記台座部に係止させた請求項２に記載の耳飾り。
【請求項４】
前記係止機構は、前記環状基材の内周側に前記板ばねの移動を防止するための断面逆Ｌ字形の係止部を形成した請求項１に記載の耳飾り。
【請求項５】
前記係止機構に板ばねの後端を係合させ、かつ板ばねの後端近傍に形成した突部を係止させた請求項４に記載の耳飾り。
【請求項６】
請求項１に記載の耳飾りにおいて、前記二股挟持部を押し拡げて前記軸着部から前記軸着ピン取り外して一対の環状基材の軸着部を分離させ、次いで、何れか一方の環状基材をピアス用又はイヤリング用の環状基材に交換し、当該ピアス用又はイヤリング用の環状基材の二股挟持部を内方へかしめて前記軸着部に前記軸着ピンを軸着してピアス又はイヤリングの何れかに交換可能にした耳飾りの交換方法。
【請求項７】
一対の環状基材の何れかの自由端部内にピアスピンをろう付けにより植設してピアス用とした請求項６に記載の耳飾りの交換方法。
【請求項８】
一対の環状基材の何れかの自由端部内にねじ部材を設けてイヤリング用とした請求項６に記載の耳飾りの交換方法。
【発明の詳細な説明】
【技術分野】
【０００１】
本発明は、一対の環状基材を弾発付勢状態で開閉することにより適宜の環状形態を呈するイヤリング又はピアス等に好適な耳飾りと耳飾りの交換方法に関する。
【背景技術】
【０００２】
通常、この種の耳飾りには、一対の装飾部材を軸着し、耳たぶを挟持させて取付ける一般のイヤリング又はクリップ式イヤリング或は、耳たぶに挿通して取付ける挿通ピンを有するピアス等が知られている。
【０００３】
また、この耳飾りは、一対の装飾部材の軸着部位に、板ばね等のバネ機構を装着して一対の装飾部位を弾発付勢させて保持させたり、軸着部位をかしめ等の手段により一対の装飾部材を環状形態に保持させるようにしている。
【０００４】
このような、従来の耳飾りを具体的に例示すると、特許文献１や特許分献２を挙げることができる。そのうち特許文献１は、主装飾部と副装飾部とを軸着したイヤリングであって、主装飾部の端部にあけた貫通孔にピンを挿通し、ワッシャを介してかしめて軸着可能に取付けたものである。
【０００５】
また、特許文献２は一方の装飾部の端部に形成した貫通孔にピンを挿通して一対の装飾部を軸着し、板ばねの後端を曲げて一方の装飾部の内周面に取付けてばね特性を効果的に生じさせたイヤリングである。
【０００６】
【特許文献１】特開平１０−２７６８１０号公報
【特許文献２】特開２００４−２８３４３７号公報
【発明の開示】
【発明が解決しようとする課題】
【０００７】
しかしながら、特許文献１は、イヤリングを繰り返し使用していると、軸着部位が摩擦等の要因で緩みを生じ、結果的には、耳たぶを挟持する力を失い、使用に供せられないばかりか、軸着部位の分解を困難にしているため、軸着部位を取外してイヤリングからピアス仕様に交換するのは不可能であった。
【０００８】
また、特許文献２は、一対の装飾部に一方側に貫通孔をあけ、この貫通孔にピンを挿通して軸着しているので、軸着部分の分解を困難にしており、装飾部やばねのメンテナンスの必要性が生じても修理することは極めて難しい作業を強いられていた。
【０００９】
本発明は、上述の従来の欠点に鑑み、鋭意検討の結果、開発に至ったものであり。その目的とするところは、ばね特性を有効に発揮させて使用者に安心感を与えるようにして使用価値を高め、また、耳飾りをイヤリング仕様とピアス仕様に容易に交換可能とし、更には、ばねの着脱を容易に行い得られるようにし、ばね等の修理や交換を簡便に行うことができ、部品組立て分解の作業性を著しく向上させることにある。
【課題を解決するための手段】
【００１０】
上記の目的を達成するため、請求項１に係る発明は、一対の環状基材の端部同士を開閉自在に軸着した耳飾りにおいて、一方の環状基材の軸着側先端に、両側に軸着ピンを有する突部を突設形成し、他方の環状基材の軸着側先端に予め拡げて形成した二股挟持部を設け、この二股挟持部の内周に形成した軸着溝に前記軸着ピンを挿入しながら前記二股挟持部を内方へかしめて前記軸着溝に前記軸軸着ピンを軸着可能に設けると共に、前記二股挟持部を有する環状基材の内周側に押圧係合部を介して装着した板ばねの先端を一対の環状基材を軸着部位を介して開いた状態のとき、前記突部の先端面に弾発付勢させて係合させ、かつ、前記板ばねの後端側を前記環状基材の内周側に形成した係止機構に係止させ、更に、一対の環状基材を軸着部位を介して閉じた状態のとき、前記板ばねの先端を前記突部の内周側の押圧部に弾発付勢させた耳飾りである。
【００１１】
請求項２に係る発明は、係止機構は、前記環状基材の内周側に、前記板ばねが奥側に移動するのを防止するための係止壁と、板ばねが軸着部側に移動するのを防止するための台座壁とからなる耳飾りである。
【００１２】
請求項３に係る発明は、板ばねの後端を前記係止壁に係合させると共に、板ばねの後端に形成した曲折部を前記台座部に係止させた耳飾りである。
【００１３】
請求項４に係る発明は、係止機構は、前記環状基材の内周側に前記板ばねの移動を防止するための断面逆Ｌ字形の係止部を形成した耳飾りである。
【００１４】
請求項５に係る発明は、係止機構に板ばねの後端を係合させ、かつ板ばねの後端近傍に形成した突部を係止させた耳飾りである。
【００１５】
請求項６に係る発明は、二股挟持部を押し拡げて前記軸着部から前記軸着ピン取り外して一対の環状基材の軸着部を分離させ、次いで、何れか一方の環状基材をピアス用又はイヤリング用の環状基材に交換し、当該ピアス用又はイヤリング用の環状基材の二股挟持部を内方へかしめて前記軸着部に前記軸着ピンを軸着してピアス又はイヤリングの何れかに交換可能にした耳飾りの交換方法である。
【００１６】
請求項７に係る発明は、一対の環状基材の何れかの自由端部内にピアスピンをロウ付けにより植設してピアス用とした耳飾りの交換方法である。
【００１７】
請求項８に係る発明は、一対の環状基材の何れかの自由端部内にねじ部材を設けてイヤリング用とした耳飾りの交換方法である。
【発明の効果】
【００１８】
請求項１に係る発明によると、一対の環状基材の軸着部位を工具を用いて簡単にかつ確実に着脱できるため、イヤリング仕様とピアス仕様の何れにも簡単に交換でき、使用者の好みに応じた耳飾りに変更でき、耳飾りとしての使用価値を著しく高めることができる。また、板ばねのばね特性を有効に発揮させて使用者に安心感を与えると共に、一対の環状基材の開閉状態を確実にかつ安定感をもって保持することが可能となった。
【００１９】
請求項２に係る発明によると、環状基材の内周側に、係止機構を設けることにより、板ばねのばね機能を発揮させる際に、板ばねが環状基材の前後にみだりに移動することがなく、耳飾りとして長期に亘って使用に耐え得ることができる。
【００２０】
請求項３に係る発明によると、板ばねの後端をやや曲げることによって、板ばねが前後に移動する事態を確実に防止できる。
【００２１】
請求項４に係る発明によると、断面逆Ｌ字形の係止部によって、板ばねの移動を防止でき、請求項５の係る発明によると、板ばねの後端に形成した突部によって板ばねが軸着側に動くことを防止でき、ばね特性を保持することが可能となる。
【００２２】
請求項６に係る発明によると、本願における耳飾りをイヤリング又はピアスの何れにも製作することが可能なり、しかも、使用者の好みの変化によってイヤリング又はピアスに簡単に交換することも可能となる。また、本願発明によると、耳飾りの組立て、分解作業が容易になると共に、板ばねのメンテナンスの際にも、板ばねの着脱作業が容易であり、その使用価値は極めて高い。
【００２３】
請求項７又は８に係る発明によると、イヤリングを一方側の環状基材を交換することによって、所望の耳飾りに変更することが可能となり、また、何れか一方側の環状基材の自由端部に、ピアスピンを植設することにより、ピアス用として利用でき、一方、環状基材の自由端部に、ねじ部材を取付けることにより、イヤリング用として利用でき、もって、耳飾りとしての利用価値を高めている。
【発明を実施するための最良の形態】
【００２４】
本発明における耳飾りと耳飾りの交換方法の好ましい実施形態を図面に基づいて詳説する。
図１は本発明の耳飾りを開いた状態を示す一部切欠断面図であり、図２は本発明の耳飾りを閉じた状態を示す一部切欠断面図である。図３は、一方の環状基材の突部を他方の環状基材の二股挟持部に挿入しようとしている拡大部分斜視図であり、図４は、本発明の軸着部を示す断面図である。
【００２５】
本発明の耳飾り１は、図１及び図２に示すように一対の環状基材３、４からなる。一対の環状基材３、４は、本例のように円形を呈する形態の他に四角形、五角形などの多角形その他の形態を採用できる。
一方の環状基材３の軸着側先端には、図４に示すように、環状基材３の胴部よりも、細幅の突部５を突設形成している。この突部５は、環状基材３の外周面と水平方向両側に軸着ピン６を一体に設けるとともに、先端部には先端面７を形成しており、先端面７の内周側端部には押圧部８を設けている。前記突部５は、前記押圧部８から軸着ピン６方向に向けたテーパ面５ａ形成した略直方体の形状を成しており、テーパ面５ａと先端面７がなす角は鋭角をなしており、その頂点部分に押圧部８が形成されている。
【００２６】
他方の環状基材４の軸着側先端には、予め拡げて成形された二股挟持部９が設けられ、この二股挟持部９の側壁１６、１６の内側には、前記軸着ピン６と軸着可能な軸着溝１１、１１が形成されている。環状基材４の内周側１０には、係止機構１２が一体にまたは別体に設けらており、この係止機構１２近傍の側壁１６、１６には押圧係合部１５が形成されている。本例における押圧係合部１５は、図７（ａ）、（ｂ）に示すように、環状基材４の内周面に形成した内周溝４ａ内周縁部に掛け渡すようにブリッジ形状に一体に形成されている。なお、一対の係止部３３ａ、３３ａとしても良い。
【００２７】
図１及び図２において、前記係止機構１２は、係止壁１３と台座壁１４により構成されている。この係止壁１３は、本例では内周側１０から略垂直に立設しており、内周側１０の内部に収まる高さに設けられている。前記台座壁１４は、図１及び図２に示すように、係止壁１３より軸着部２側に設けられている。前記押圧係合部１５は、環状基材４の側壁１６、１６の上部に設けられ、本例では、上述のように、図３に示すように両側壁１６、１６に亘って設けられている。
【００２８】
前記係止機構１２は、板ばね１７が軸着部２から外れるのを防止することを可能にしている。すなわち、板ばね１７の後端１９を係止壁１３に係合させ、板ばね１７の後端１９に形成した曲折部３０を台座部１４に係止させている。これは、耳飾り１の開閉動作をする際に、図１に示すように、耳飾り１を開いた時には板ばね１７には、当接している環状基材３の突部５との摩擦により環状基材３側に力が加わり、反対に図２に示すように、閉じる動作をすると環状基材４方向に押される力が加わる。この動作を繰り返していると、板ばね１７が軸着部２から外れてしまうので、それを防止するものである。本例においては、係止機構１２の係止壁１３は台座壁１４より高く設けられており、板ばね１７が環状基材４側である奥側に飛び出すのを防止している。また、台座壁１４に板ばね１７を、押圧係合部１５を介して係止しすることにより、板ばね１７が押圧係合部１５側に持ち上がり板ばね１７が外れることを防止しつつ、後端１９に設けた曲折部３０が台座壁１４にやや係止して、板ばね１７が環状基材３側にずれることを防止している。この場合、図６（ｂ）、（ｃ）に示すように、突起３１を板ばね１７の何れか一側に形成して、曲折部３０の代替構造にしても良い。何れにしても、曲折部３０や突起３１は、板ばね１７を仮固定してみだりに移動しないようにしたものである。
【００２９】
板ばね１７は、図６（ａ）に示すように、略薄板状の金属板であり、先端１８を図１に示すように、耳飾り１を開いた状態では環状基材３の突部５に形成された先端面７を押圧しており、図２に示すように耳飾り１を閉じた状態では突部５の押圧部８を押圧している。この板ばね１７の後端１９形成した曲折部３０は、図１及び図２に示すように、係止機構１２の台座壁１４に係止している。
【００３０】
本例のかしめ構造について説明する。本例のかしめ構造は、図３及び図４に示すように環状基材４の端部に設けた予め拡げて形成した二股挟持部９の軸着溝１１に、環状基材３の端部に設けた突部５の両側面に設けた軸着ピン６を挿入し、工具を用いてかしめることにより行う。詳しく説明すると、図４に示すように、二股挟持部９は予め突部５と軸着ピン６の幅よりやや大きく拡げられており、二股挟持部９の内側に設けられた軸着溝１１は軸着ピン６を軸着可能に形成されている。この軸着溝１１に軸着ピン６の何れか一方を挿入し、他方の軸着溝１１と軸着ピン６を合わせつつ、工具等をもちいて側壁１６を両側から内側方向にかしめていくと、突部５が二股挟持部９に回動自在に軸着されることとなる。その際、軸着ピン６や軸着溝１１の位置、突部５の大きさや二股挟持部９の内周面１０の位置等は環状基材３、４同士が回動自在に軸着できる位置に設定されている。
【００３１】
次に、本発明の動作について説明する。一対の環状基材３、４は、図３及び図４に示すように環状基材３の軸着側先端に突設形成された突部５の両側面に設けられた軸着ピン６を、環状基材４の軸着側先端に設けられた二股挟持部９に形成された軸着溝１１に回動自在に軸着して耳飾り１の開閉を行う。
その際、板ばね１７は図１に示しように、環状基材３に設けられた押圧係合部１５と台座壁１４の間に挿入され、後端１９を台座壁１４に係止させ、先端１８を軸着した環状基材３の突部５に当接させている。
【００３２】
更に詳しく説明すると、図１に示した耳飾り１は開いた状態では、後端１９の曲折部３０を押圧係合部１５を介して台座壁１４に係止することより、板ばね１７に弾発力が生じ、先端１８と当接している突部５の先端面７を板ばね１７の先端１８が押圧することとなる。
また図２に示した耳飾り１を閉じた状態では、上述した弾発力が突部５の押圧部８と当接しているので、板ばね１７に生じた弾発力が、押圧部８を押圧することとなる。
これにより、耳飾り１は開いた状態及び閉じた状態を板ばね１７の押圧力により保持することが可能となると共に、装着者が安心して装着作業を行うことが可能となる。更に、本発明の耳飾り１をピアスとした場合には、ピアスピンが環状基材の一部と弾発力をもって勢いよく当接するので、「パチン」と音がして装着者にピアスが閉じたことを確実に知られせることができ、耳飾りをしようする者は、安心感を持って耳たぶに装着でき使用に供せられる。
【００３３】
次に、本発明の耳飾りの交換方法について説明する。なお、同一部分は同一符号を用いてその説明を省略した。図５（ａ）本発明の交換方法により交換するイヤリングを示した正面図であり、図５（ｂ）は、ピアスピンを装飾部を有する環状基材に取付けた図であり、図５（ｃ）は、本発明の交換方法によりイヤリングより交換したピアスを示した正面図である。図６（ａ）は、後端に折曲部を設けた板ばねを示した斜視図であり、図６（ｂ）は、後端に突起を設けた板ばねの斜視図であり、図６（ｃ）は、（ｂ）に示す板ばねを裏返した状態を示す斜視図である。図７（ａ）は、本発明の他の実施例の一部切欠説明断面図であり、図７（ｂ）は、本発明の他の実施例の係止機構と係止部を示した平面説明図であり、図７（ｃ）は、他の実施例の係止機構を示した一部省略断面図である。
【００３４】
図７（ａ）に示すイヤリング２０を、例えば図５（ｃ）に示すピアス２１に交換する方法について説明する。
図５（ａ）に示すイヤリング２０の軸着部２８は、図３と同じように環状基材２３の端部に設けられた突部５が、他方の環状基材２２に設けられた予め拡げられた二股挟持部９に挟持され、軸着ピン６が軸着溝１１に回動自在に軸着可能な状態で、工具等により二股挟持部９がかしめられることにより軸着されている。さらに詳しく説明すると、図４に示すように、突部５の両側に設けられた軸着ピン６と、二股挟持部９に設けられた軸着溝１１は、耳飾りが軸着された場合に開閉可能な位置であるとともに、突部５が板ばね１７と当接可能な位置に形成されることにより、簡単に着脱ができ、しかも確実にかしめることができることとなる。
【００３５】
環状基材を交換する場合に、まず図５（ａ）に示された軸着されたイヤリング２０を開き、工具等を環状基材２２の二股挟持部９の近傍に差し込んで、二股挟持部９を幅方向に拡げる。
【００３６】
二股挟持部９が拡げられると、環状基材２３との軸着部分に隙間ができ、軸着ピン６は軸着溝１１から外れ、環状基材２３を取外すことが可能となる。
【００３７】
環状基材２３を取外すと、いままで環状基材２３の突部５の押圧部８を押圧していた板ばね１７の先端１４は、外周側に移動可能となるので押圧係合部１５を介して生じていた板ばね１７の弾発力が軽減若しくは無くなり、板ばね１７を簡単に取外すことができる。
【００３８】
環状基材２３を取り外した状態を図５（ｂ）に示す。同図において２５は装飾部を示す。環状基材２３が取外されると、次にピアスへの交換であるので、環状基材２３の自由端部２４にピアスピン２８を、例えばろう付けにより取付ける。これにより耳たぶを挿通するピアスピン２８が環状基材２２に取付けられることになる。
【００３９】
次に、板ばね１７を環状基材２２の内側に押圧係合部１５を介して挿入し、係止機構１２に係止させる。そしてピアス用の環状基材２３ａに設けられている突部５の先端面若しくは押圧部８を、板ばね１７の下面１８ａに当接させて、板ばね１７に弾発力が生じるようにしつつ、突部５に設けられている軸着ピン６を環状基材２２に設けられている軸着溝１１のどちらか一方の溝に係止させる。そして、工具等を用いて二股挟持部９を内側にかしめれば、図５（ｃ）に示すように環状基材２２と環状基材２３ａは板ばね１７による弾発力を有しつつ軸着されることとなり、イヤリング２０がピアス２１に又はピアスをイヤリングに交換できる。
【００４０】
上記方法により交換される耳飾りは、上記例に限ったものではなく、ピアスからイヤリングへと相互に交換可能であり、その場合には、ピアス２１の環状基材２３ａの二股挟持部９を工具等により拡げて、環状基材２３ａを取外し、板ばね１７を交換する場合には板ばね１７を取外して、ピアスピン２８を取外し交換するねじ部材２７を有するイヤリング２０を取付けて、二股挟持部９をかしめれば交換できる。
また装飾部２５を他の装飾品を設けた装飾部と交換することも可能である。さらに、板ばね１７に不具合が生じた場合にも板ばね１７のみ交換することも可能である。
このように、上記方法を用いることにより、簡単で短時間に耳飾りを交換、修理等が可能となり、耳飾りとしての使用価値を著しく高めることができる
【００４１】
次に、本発明の他の実施例について説明する。
本発明の係止機構１２は、図１に示したものに限られず図７（ａ）、（ｂ）に示すように断面逆Ｌ字形をした逆Ｌ字形係止部３２であってもよい。この逆Ｌ字形係止部３２は、軸着部方向に向いて開口しており、板ばね１７の後端１９をその内部に係合させることにより、Ｌ字形の壁部分が板ばね１７の奥側への移動を規制している。
この逆Ｌ字形係止部３２を用いて、板ばね１７の軸着部側への移動を規制するために、板ばね１７の後端１９に、図５（ｂ）、（ｃ）にも示すように突起３１ａを形成している。さらに、逆Ｌ字形係止部３２をかしめて板ばね１７の突起３１ａを係止するようにしている。この突起３１ａは板ばね１７の軸着部側への移動を規制することを確実なものとし、板ばね１７は逆Ｌ字形係止部３２内に挟持された状態となり、軸着部側への移動を規制をされることになる。
【００４２】
次に、押圧係合部１５は、前記実施例においては環状基材の両側壁１６、１６に亘り形成されているがこれに限ったものではなく、図７（ｂ）の点線で示すように、側壁１６、１６に一対の係止部３３ａ、３３ｂを設けてもよく、板ばね１７が環状基材４の内周部分から外れることがないようにして、弾発付勢させることができればよい。
図示しないが、ねじ部材を有する略Ｕ字形の基材の途中に、本願における軸着構造を設けることによって、Ｕ字形に基材を耳たぶに装着する際に開閉する構造に適用しても良い。
【００４３】
本発明の上記実施例においては、イヤリングやピアスの装飾部を有する環状基材の二股挟持部９を設けた例について説明してきたが、当然これに限ったものではなく、装飾部を有さない方の環状基材に二股挟持部９を設け、装飾部を有する環状基材に突部５を形成してもよい。
【産業上の利用可能性】
【００４４】
本発明の耳飾りは、上述のようにピアスやイヤリングに好適であり、また、本発明により簡単に軸着部分を着脱することができるので、簡単にピアスからイヤリングまたその反対にも耳飾りを取り替えることが可能であり、更に装飾部分のデザインを変更する場合にも装飾部分を簡単に取り替えることが可能となる。
【図面の簡単な説明】
【００４５】
【図１】本発明の耳飾りを開いた状態を示す一部切欠断面図である。
【図２】本発明の耳飾りを閉じた状態を示す一部切欠断面図である。
【図３】一方の環状基材の突部を他方の環状基材の二股挟持部に挿入しようとしている拡大部分斜視図である。
【図４】本発明の軸着部を示す断面図である。
【図５】（ａ）本発明の交換方法により交換するイヤリングを示した正面図である。（ｂ）ピアスピンを装飾部を有する環状基材に取付けた図である。（ｃ）本発明の交換方法によりイヤリングより交換したピアスを示した正面図である。
【図６】（ａ）後端に折曲部を設けた板ばねを示した斜視図である。（ｂ）後端に突起を設けた板ばねの斜視図である。（ｃ）（ｂ）に示す板ばねを裏返した状態を示す斜視図である。
【図７】（ａ）本発明の他の実施例の一部切欠説明断面図である。（ｂ）本発明の他の実施例の係止機構と係止部を示した平面説明図である。（ｃ）他の実施例の係止機構を一部省略断面図である。
【符号の説明】
【００４６】
１  耳飾り
２  軸着部
３、４  環状基材
５  突部
６  軸着ピン
９  二股挟持部
１１  軸着溝
１２  係止機構
１３  係止壁
１４  台座壁
１５  押圧係合部
１７  板ばね
１９  後端
２０  イヤリング
２１  ピアス
２４  自由端部
２８  ピアスピン
３０  曲折部
３２  逆Ｌ字形係止部
【図１】
2009247680.tif 000003
【図２】
2009247680.tif 000004
【図３】
2009247680.tif 000005
【図４】
2009247680.tif 000006
【図５】
2009247680.tif 000007
【図６】
2009247680.tif 000008
【図７】
2009247680.tif 000009